(57)【要約】  トラベルマグの蓋は、第１蓋部材及び開閉機構を具える。第１蓋部材はボタン開口部を具える。開閉機構は、ボタン、芯及び芯に接続された可撓性素材を具える。ボタンは、芯に対して動く。ボタンは、ボタン開口部を貫通して延びる、即ちボタン開口部の内部に延びる末端部を具える。ボタンによって、第１蓋部材に対して可撓性素材の少なくとも一部が動くため、飲み物の通路を通過する液体の流れが選択的に妨げられる。ボタンと芯は、可撓性素材によって、カップの中の液体から少なくとも部分的に隔離されている。
2016508102.tif 000002
【特許請求の範囲】
【請求項１】
対応するカップの上側開口部で対応するカップと係合するように構成されたトラベルマグの蓋であって、
中心軸を定め、ボタン開口部を具える第１蓋部材と、
前記蓋を貫通して設けられた飲み物の通路を通る液体の流れを選択的に妨げるための前記第１蓋部材に取付けられた開閉機構とを具え、前記開閉機構がボタン、芯、及び前記芯に接続された可撓性素材を具え、
前記ボタンが前記芯に対して動き、
前記ボタンが前記ボタン開口部を貫通して延びる末端部、即ち前記ボタン開口部の内部に延びる末端部を具えることにより、前記蓋が前記対応するカップと係合している場合に、前記末端部が前記第１蓋部材の外側からアクセス可能であり、
前記芯が前記可撓性素材よりも硬質な材料からなり、
前記ボタンが前記第１蓋部材に対して少なくとも前記可撓性素材の一部を動かすために前記可撓性素材と協働し、前記飲み物の通路を通る液体の流れを選択的に妨げ、
前記開閉機構が前記第１蓋部材に接続されており、前記蓋が前記対応するカップに係合されている場合に、前記ボタンと芯が前記可撓性素材によって前記対応するカップに入った液体から少なくとも部分的に隔離されることを特徴とする、
トラベルマグの蓋。
【請求項２】
前記第１蓋部材が側壁を具え、前記側壁が円筒状且つ垂直方向に向けられており、前記側壁が上部及び上部よりも大きな直径を有する下部を具え、前記下部から前記上部への前記側壁の内側面の変わり目に肩部が定められ、前記可撓性素材が前記肩部を押圧することによって前記可撓性素材と前記第１蓋部材との間で液密シールが形成される、請求項１のトラベルマグの蓋。
【請求項３】
前記芯が前記中心軸と平行な方向に前記ボタンが移動することを妨げ、前記ボタンが前記中心軸に対して直角な方向に、前記芯に対してスライドする、請求項１のトラベルマグの蓋。
【請求項４】
前記芯が下板に接続された上板を具え、空間が上板と下板の間で画定され、前記ボタンが前記空間に受入れられる、請求項１のトラベルマグの蓋。
【請求項５】
前記芯が平坦な下面を具え、前記可撓性素材が前記芯の平坦な下面の全体を覆う、請求項１のトラベルマグの蓋。
【請求項６】
前記芯が、前記ボタンが前記芯から前記ボタン開口部に向かって延びる場所を除けば、前記中心軸の周りの径を有する略円筒状の周側壁を具え、前記可撓性素材が前記略円筒状の周側壁の周りの前記芯の下面を覆う、請求項１のトラベルマグの蓋。
【請求項７】
前記可撓性素材が、前記蓋が前記対応するカップと係合している時に、前記対応するカップと蓋の間のシールとして作用するように配置され、前記可撓性素材が飲み物の通路の閉弁として作用する、請求項６のトラベルマグの蓋。
【請求項８】
前記可撓性素材が可動部及び固定部を具える、請求項１のトラベルマグの蓋。
【請求項９】
前記可動部が前記可撓性素材の中に形成される少なくとも１つのひだによって画定される、請求項８のトラベルマグの蓋。
【請求項１０】
前記可撓性素材が可動封止端及び固定封止端を具え、前記ボタンが作動することによって前記固定封止面に対して前記可動封止端が移動する、請求項８のトラベルマグの蓋。
【請求項１１】
前記固定封止端が前記ボタン開口部の正反対に位置する、請求項１０のトラベルマグの蓋。
【請求項１２】
前記可撓性素材が少なくとも前記芯の外側の大半を取り囲み、さらに、前記芯から外側に向かって延びる前記ボタンの外端部を包む、請求項１０のトラベルマグの蓋。
【請求項１３】
前記可撓性素材が前記ボタンの末端部を囲む、請求項１のトラベルマグの蓋。
【請求項１４】
前記開閉機構が前記ボタンと連動可能に接続されるフォロアを具え、前記フォロアが前記ボタンに対して移動するように付勢され、前記可撓性素材と接し、前記可撓性素材が可動封止端及び固定封止端を具え、前記ボタンが作動すると前記フォロアが移動し、その結果、前記固定封止端に対して前記可動封止端が移動する、請求項１のトラベルマグの蓋。
【請求項１５】
対応するカップの上側開口部で対応するカップと係合するように構成されたトラベルマグの蓋であって、
中心軸を定め、ボタン開口部を具える第１蓋部材と、
前記蓋を貫通して設けられた飲み物の通路を通る液体の流れを選択的に妨げるための前記第１蓋部材に取付けられた開閉機構とを具え、前記開閉機構がボタン、芯、及び前記芯に接続された可撓性素材を具え、
前記ボタンが前記芯に対して動き、
前記ボタンが前記ボタン開口部を貫通して延びる末端部、即ち前記ボタン開口部の内部に延びる末端部を具えることにより、前記蓋が前記対応するカップと係合している場合に、前記末端部が前記第１蓋部材の外側からアクセス可能であり、
前記芯が前記可撓性素材よりも硬質な材料からなり、
前記ボタンが前記第１蓋部材に対して少なくとも前記可撓性素材の一部を動かすために前記可撓性素材と協働し、前記飲み物の通路を通る液体の流れを選択的に妨げ、
前記可撓性素材が可動部及び固定部を具え、
前記可撓性素材が可動封止端を具え、前記ボタンが作動すると固定封止面に対して前記可動封止端が移動し、前記可動封止端が前記固定封止面と接し前記飲み物の通路を塞ぐことを特徴とする、
トラベルマグの蓋。
【発明の詳細な説明】
【背景技術】
【０００１】
トラベルマグの蓋は、飲み物が通る通路を選択的に塞ぐ開閉機構を具えることができる。これらの開閉機構は、かなり複雑になり得、多くの可動部品を具え得る。これらの開閉機構をクリーニングしようとすると、問題が生じる。
【発明の概要】
【０００２】
前記に鑑み、対応するカップの上側開口部で、対応するカップと係合するようにそれぞれ構成されているトラベルマグの蓋が、記載されている。本明細書に記載される各トラベルマグの蓋は、シリコーンのような可撓性素材を有する開閉機構を具える。可撓性素材は、蓋が取付けられたカップの中にある液体から開閉機構の可動部品を隔離するための閉弁及びシールとして作用することができる。
【０００３】
トラベルマグの蓋の一例は、第１蓋部材、及び蓋を貫通して設けられた飲み物の通路を通る液体の流れを選択的に妨げるための第１蓋部材に取付けられた開閉機構を具える。第１蓋部材は、中心軸を定め、ボタン開口部を具える。開閉機構は、ボタン、芯及び芯に接続された可撓性素材を具える。ボタンは、芯に対して動く。ボタンは、ボタン開口部を貫通して延びる、即ちボタン開口部の内部に延びる末端部を具えるため、蓋が対応するカップに係合している場合、第１蓋部材の外側から前記末端部にアクセス可能である。芯は、可撓性素材よりも硬い材料からできている。ボタンは、可撓性素材と協働し、第１蓋部材に対して可撓性素材の少なくとも一部を動かし、飲み物の通路を通過する液体の流れを選択的に妨げる。開閉機構が第１蓋部材に接続され、蓋が対応するカップと係合している時、ボタン及び芯は、可撓性素材によって、対応するカップに入った液体から少なくとも部分的に隔離される。
【０００４】
別の配置では、トラベルマグの蓋は、対応するカップの上側開口部で対応するカップと係合する構成が示される。トラベルマグの蓋は、第１蓋部材、及び蓋を貫通して設けられた飲み物の通路を通る液体の流れを選択的に妨げるための第１蓋部材に取付けられた開閉機構を具える。第１蓋部材は中心軸を定め、ボタン開口部を具える。開閉機構は、ボタン、芯及び芯に接続された可撓性素材を具える。ボタンは、芯に対して動く。ボタンが、ボタン開口部を貫通して延びる、即ちボタン開口部の内部に延びる末端部を具えるため、蓋が対応するカップに係合している場合、第１蓋部材の外側から前記末端部にアクセス可能である。芯は、可撓性素材よりも硬い材料からできている。ボタンは、可撓性素材と協働し、第１蓋部材に対して可撓性素材の少なくとも一部を動かし、飲み物の通路を通過する液体の流れを選択的に妨げる。可撓性素材は、可動部及び固定部を具え得る。可撓性素材は、可動封止端も具え得る。ボタンが作動することにより、固定封止面に対して可動封止端が移動し、可動封止端が、固定封止面と接して、飲み物の通路が閉じられる。
【０００５】
上述された各実施例の態様は以下に示される。以下に示される各態様は、いずれの実施例においても、見受けられうる。
【０００６】
第１蓋部材は、側壁を具える。第１蓋部材の側壁は、円筒状且つ垂直方向に向けられている。側壁はまた、上部及び下部を具え、下部は、上部よりも直径が大きい。下部から上部への側壁の内側面の変わり目に肩部が定められる。可撓性素材が、肩部３２を押圧することによって、可撓性素材と第１蓋部材との間で液密シールが形成される。
【０００７】
開閉機構の芯は、中心軸と平行な方向へのボタンの移動を妨げる。ボタンは、中心軸と直角な方向に、芯に対してスライド可能である。他の実施例では、ボタンは、中心軸と直角な方向に、芯に対してスライド可能であり、且つまた、トグルスイッチと同様に、或る軸の周りを回転することも可能である。他の実施例では、ボタンは、中心軸と平行な方向に、芯に対してスライド可能である。芯は、下板に接続された上板を具えてもよい。空間は、上板と下板の間で画定され得る。ボタンは空間の中に受入れられる。芯は、平坦な下面を具え、可撓性素材は、芯の平坦な下面の全体を覆ってもよい。芯は、ボタンが芯からボタン開口部に向かって延びる場所を除けば、中心軸を実質的に取り囲む略円筒状の周側壁も具え得る。
【０００８】
可撓性素材は、略円筒状の周側壁の周囲の芯の下面を覆ってもよい。可撓性素材は、蓋が対応するカップと係合している時に、対応するカップと蓋の間のシールとして作用するように配置される。可撓性素材はまた、飲み物の通路の閉弁としても作用する。可撓性素材は、可動部及び固定部を具える。可動部は、可撓性素材の中に形成される少なくとも１つのひだによって画定され得る。可撓性素材は、可動封止端及び固定封止端を具える。ボタンが作動すると、固定封止端に対して、可動封止端が移動する。固定封止端は、ボタン開口部の正反対に位置し得る。可撓性素材は、少なくとも芯の外側の大半を取り囲んでもよく、さらに、芯から外側に向かって延びるボタンの外端部を包んでもよい。可撓性素材が、ボタンの端部を取り囲んでもよい。
【０００９】
開閉機構は、ボタンと連動可能に接続されたフォロアを具える。フォロアは、ボタンに対して移動するように付勢され、可撓性素材と接している。可撓性素材は、可動封止端及び固定封止端を具え、ボタンが作動すると、フォロアが移動し、その結果、固定封止端に対して、可動封止端が移動する。
【図面の簡単な説明】
【００１０】
図１は、閉位置のトラベルマグの蓋の平面図。
【００１１】
図２は、開位置の図１に示されたトラベルマグの蓋の平面図。
【００１２】
図３は、図１のＡ−Ａ線での断面図。
【００１３】
図４は、図２のＢ−Ｂ線での断面図。
【００１４】
図５は、トラベルマグの蓋の別の実施形態の平面図。
【００１５】
図６は、図５のＡ−Ａ線での断面図。
【００１６】
図７は、図６に示された断面図の斜視図。
【００１７】
図８は、閉位置のトラベルマグの蓋の別の実施形態の図５のＡ−Ａ線と同様の位置での断面図。
【００１８】
図９は、開位置の図８に示されたトラベルマグの蓋の断面図。
【００１９】
図１０は、閉位置のトラベルマグの蓋の別の実施形態の平面図。
【００２０】
図１１は、開位置の図１０に示されたトラベルマグの蓋の平面図。
【００２１】
図１２は、図１０のＡ−Ａ線での断面図。
【００２２】
図１３は、図１１のＢ−Ｂ線での断面図。
【００２３】
図１４は、閉位置のトラベルマグの蓋の別の実施例の平面図。
【００２４】
図１５は、開位置の図１４に示されたトラベルマグの蓋の平面図。
【００２５】
図１６は、図１４のＡ−Ａ線での断面図。
【００２６】
図１７は、図１５のＢ−Ｂ線での断面図。
【発明を実施するための形態】
【００２７】
図１乃至４は、リム１２と呼ばれる第１蓋部材、及び開閉機構１４を具えるトラベルマグの蓋１０を示す。トラベルマグの蓋１０は、カップ（示されていない。）に嵌合し、カップの上側開口部を覆い、カップに入っている液体がこぼれず、カップの中の液体の温度が保たれる。開閉機構１４によって可動部品が隔離されるため、これらの可動部材が液体に直接触れることはない。
【００２８】
図示されるように、リム１２は、全体として環状の形状である。リム１２は、環状として示されているが、リム１２は蓋１０に取付けるカップの形に基づいて他の形状であってもよい。図示された実施例を参照すると、リム１２は、環状側壁２０を具える。図示されるように、側壁２０は円筒状で垂直方向に向けられており、外側面２２と内側面２４を有する。内側面２４は、上部２６、及び上部２６からオフセットされた下部２８を具える。上部２６及び下部２８は、それぞれ全体として円形、即ち円筒形の形状である。蓋１０の中心軸３０に対して直角に測った下部２８の直径は、上部２６の直径よりも大きい。そのため、下部２８から上部２６への内側面２４の変わり目に肩部３２が定められる。肩部３２は、全体として環状で、中心軸３０を中心に配置される。
【００２９】
リム１２はまた側壁２０に形成されたボタン開口部４０を具える。ボタン開口部４０は、内側面２４の下部２８から外側に向かって側壁２０を貫通して外側面２２に延びている。
【００３０】
リム１２はカップ（示されていない。）の上端に嵌合する。図示されるように、カップ（示されていない。）の上端は、リム１２によって受入れられ、カップの外側面は内側面２４の下部２８に係合する。カップ（示されていない。）の上端は開閉機構１４に固定する。リム１２、特にリム１２の内側面２４は、中心軸３０に対して直角な面を見ると円形の形状である通路４２を画定する。開閉機構１４は通路４２を選択的に塞ぐためにリム１２と協働する。
【００３１】
開閉機構１４はボタン５０、芯５２、及び可撓性素材５４を具える。ボタン５０は、芯５２及びリム１２に対して中心軸３０に直角な方向に動き、スライドし、即ち移動する。図示されるように、ボタン５０は、例えば、Ａ−Ａ線（図１）又はＢ−Ｂ線（図２）に沿って、リム１２の直径と平行にスライドする。ボタン５０は可撓性素材５４と協働し、リム１２の中の通路４２を通る液体の流れを選択的に妨げる。
【００３２】
開閉機構１４がリム１２と接続され、蓋１０がカップに取付けられているときは、ボタン５０と芯５２は可撓性素材５４によって液体から隔離される。開閉機構１４の可動部品は、可撓性素材５４を除いて、液体から隔離されるため、液体に晒される可動部品を有する既知の蓋と比較して蓋１０の洗浄はより簡単である。組立てられると、可撓性素材５４は、リム１２の中に形成された肩部３２を押圧し、可撓性素材５４とリム１２の間で液密シールを形成する。リム１２の中にある開閉機構１４を固定するために、可撓性素材５４と肩部３２の間に接着剤を用いてもよい。開閉機構１４をカップの上端と肩部３２の間にはさむように、カップ（示されていない。）の上端が可撓性素材５４を押圧してもよい。カップ（示されていない。）の上端と可撓性素材５４の間の境界面が別の液密シールを形成してもよい。
【００３３】
図示された実施例では、ボタン５０は、硬質プラスチック素材でできているが、しかし、ボタンは、他の硬質素材で作られてもよい。ボタン５０の端部はボタン開口部４０を貫通して、即ちボタン開口部４０の内部に延びている。ボタン５０はボタン開口部４０から露出する第１端６０を有する。ボタン５０の第２端６２は、第１端６０の反対側にあり、第２端６２は、可撓性素材５４と接触している。ボタン５０は芯５２の中に受入れられる第１部分６４、及び第２部分６６を有する。第２部分６６は芯５２から延びており、ボタン開口部４０から離れてボタン開口部４０の正反対に位置するリム１２のある領域に向かっている。第１部分６４は、第１端６０で終端し、第２部分６６は、第２端６２で終端する。図示された実施例では、中心軸３０と平行な測定方向において、第２部分６６は、第１部分６４よりも細い。中心軸３０に対して直角に測定した場合のボタン５０の長さは、内側面２４の下部２８でのリム１２の内側の直径よりも長い。ボタン５０はまた、下面６８と上面７０を有する。これらの面６８及び７０はそれぞれ、全体として平面であってもよい。
【００３４】
図示された実施例の芯５２もまた硬質プラスチック素材でできているが、しかし、他の硬質素材が使われてもよい。芯５２は、ボタン５０の動きを固定するように作用し、中心軸３０と平行な方向にボタン５０が動くことを妨げる。図示された実施例では、芯５２は、例えば、Ａ−Ａ線（図１）又はＢ−Ｂ線（図２）に沿うようなリム１２の直径に沿う方向以外の方向にボタン５０が動くことを妨げる。芯５２は、内部側壁８４（図３及び４で見えるのは１つだけ。）によって下板８２とつながれた上板８０を具える。空間８６は、上板８０、下板８２、及び側壁８４の間で画定される。ボタン５０の第１部分６４は、空間８６の中に受入れられる。芯５２は、ボタン５０が芯５２からボタン開口部４０に向かって延びる箇所を除けば、中心軸３０を実質的に取り囲む略円筒状の周側壁８８も具える。周側壁８８は、外側面９２及び内側面９４を具える。周側壁８８は、リム１２の内側面２４の下部２８の半径より若干小さい中心軸３０の周りの半径を有する。外側面９２は、可撓性素材５４によって囲われており、可撓性素材５４は、リム１２の内側面２４の下部２８と接触し、その間に液密シールを形成する。芯５２は、上面９６及び下面９８も有し、それらのそれぞれは、平面であってもよい。
【００３５】
図示された実施例では可撓性素材５４はシリコーンである。他の可撓性素材が用いられてもよいが、しかし、可撓性素材５４は、ボタン５０及び芯５２が作られる材料よりもより柔軟性を有することが望まれる。可撓性素材５４には、可撓性素材５４がリム１２の内側面及びカップ（示されていない。）の上端に接触する場所において、液密シールを保つことができることも望まれる。可撓性素材５４は、芯５２とボタン５０を囲い込み、開閉機構１４が（図１に示されるように）閉位置にあるときは、可撓性素材５４によって形成される小さな通気口１００を除いて、リム１２を介して通路４２を覆う。可撓性素材５４は、芯５２の下面９８と接触し、それらを覆う。可撓性素材５４はまた、ボタン５０の下側面６８と接触、及び/又は、覆ってもよい。可撓性素材５４は、ボタン５０の下側面６８、第２端６２及び上側面７０、並びに芯５２の上面９６を覆う。ボタン開口部近くの芯５２の下面９８及び周側壁８８付近の芯５２の下面９８を覆うことによって、可撓性素材５４は、トラベルマグ１０とトラベルマグ１０に取付けられるカップ（示されていない。）の上端との間の液密シールとして作用することができる。このように、可撓性素材５４は、カップ（示されていない。）と蓋１０の間のシール、及びリム１２を介した通路４２のための閉弁の両方として作用し得る。
【００３６】
可撓性素材５４は、可動部１０６及び固定部１０８を具える。図示された実施例においては、可動部１０６は、可撓性素材５４で形成される複数のひだ１１０によって画定される。ひだ１１０は、湾曲している。ボタン５０の第２部分６６を囲む可撓性素材５４でひだ１１０が形成され、そこに可動部１０６が位置する。
【００３７】
ボタン５０は、中心軸３０に対して直角な方向にスライド可能である。閉位置では、図１及び３に示されるように、可撓性素材５４からなる固定封止端１１４と接触する可撓性素材５４からなる可動封止端１１２をボタン５０の第２端６２が押圧するように、ボタン５０は位置する。可撓性素材５４からなる固定封止端１１４は、ボタン開口部４０の正反対にある。図１及び３に示される閉位置では、カップからの液体は、リム１２によって形成される通路４２を通って進むことを妨げられる。
【００３８】
図２及び４に示される位置では、可撓性素材５４からなる可動封止端１１２は、図１及び３に示される閉位置から右に移動している。ボタン５０の第２端６２を囲む可撓性素材５４、即ち可動封止端１１２を画定する可撓性素材５４の部分は、ボタン５０の第１端６０から正反対の部分、即ち可撓性素材５４からなる固定封止部１１４で周側壁８８を囲む可撓性素材５４から離間している。このように、飲み物の通路１１６は、可撓性素材５４の可動封止部１１２と固定封止部１１４の間に形成される。図示された実施例の可撓性素材５４は、全て相互に接続された可動部１０６、固定部１０８、ひだ１１０、可動封止端１１２及び固定封止端１１４を具える一体形成品（例えば、一体ユニット）である。
【００３９】
カムフォロア機構が開閉機構１４に設けられてもよい。カムフォロア機構は、図２及び４に示される開位置に向かってボタン５０を付勢するスプリングを具えてもよい。このようなカムフォロア機構を利用することによって、ボタンが閉位置にあるとき、操作者は、ボタンを内側に押すことができ、バイアス機構によってボタンが開位置に向かって動く。または、ボタンが開位置にあるとき、操作者は、ボタンを内側に押すことができ、カムフォロア機構によって図１及び３に示される閉位置にボタンが固定されることによってスプリングの付勢力が弱まる。カムフォロア機構はまた芯５２の中の空間８６の中に位置してもよく、それ故、カップの中の飲み物の通路１１６を通って進む液体から隔離され得る。
【００４０】
図５乃至７は上述したトラベルマグの蓋１０に類似する別のトラベルマグの蓋２１０を示す。カップ（示されていない。）にはトラベルマグの蓋２１０が嵌合され、カップの上側開口部が覆われ、カップに保持された液体がこぼれず、カップの中の液体の温度が保たれる。トラベルマグの蓋２１０と上述されたトラベルマグの蓋１０との違いについては詳細に説明する。これらの蓋は構造上似ているので、説明を簡潔にするため、類似点について詳細な説明はしない。
【００４１】
トラベルマグの蓋２１０は、カバー２１２と呼ばれる第１蓋部材、及び開閉機構２１４を具える。カップを出る液体が通る飲み物の通路２１８を少なくとも部分的に画定する開口部２１６を有する頂部をカバー２１２が具えることを除いて、カバー２１２は、上述したリム１２と類似する。カバー２１２は、側壁２２０を具え、中心軸２３０を定める。トラベルマグの蓋２１０は、側壁２２０にボタン開口部２２２を具える。開閉機構２１４が、機構の可動部品を隔離するため、これらの可動部品が直接液体に晒されることはない。
【００４２】
開閉機構２１４は、ボタン２５０、硬質芯２５２、可撓性素材２５４及びクリック・クリック（カムフォロア）機構２５６を具える。ボタン２５０は、蓋２１０の中心軸２３０に対して全体として直角な方向に移動する。芯２５２は、開閉機構２１４の可動部品の多くがその中に設けられる空間２５８を具える。可撓性素材２５４は、少なくとも芯２５２の外側の大部分を囲み、図５乃至７に示された実施例では、可撓性素材２５４はまた、ボタン２５０の末端部分２６６も囲む。末端部分２６６は、カバー２１２の側壁２２０に形成されたボタン開口部２２２から外側に向かって延びるボタン２５０の一片である。ボタン２５０の末端部分２６６を囲む可撓性素材２５４は、硬質芯２５２と接続され、及び／又は、接してもよく、即ち、可撓性素材２５４の独立した一片がカバー２１２の側壁２２０と接触してもよく、ボタン２５０の末端部分２６６を囲い込み、及び／又は、包み込むためにボタン開口部２２２を覆ってもよい。
【００４３】
図６及び７に示されるように、上述したようなシリコーン材料でもよい可撓性素材２５４は、開口部２７０を具える。開口部２７０によって、開閉機構２１４の可動部品を、可撓性素材２５４によって画定される内部領域に挿入することができる。芯２５２が開口部２７０を通って可撓性素材２５４の中に挿入されるときに、可撓性素材２５４が封止するボス２７２を芯２５２は具えてもよい。このため、水密シールが可撓性素材２５４の中にある開口部２７０の周りの可撓性素材２５４と芯２５２との間でボス２７２に対して形成されてもよい。
【００４４】
開位置における開閉機構２１４が図６及び７に示されている。飲み物の通路２１８を閉じるために、操作者は、カップの内側に向かって、且つ飲み物の通路２１８に向かってボタン２５０を内側に押す。
【００４５】
クリック・クリック機構２５６はトラック２８４の中に配置されるスライドピン２８２を有するフォロア２８０を具える。矢印２８６方向にボタン２５０が移動することにより、同じ方向にフォロア２８０が移動し、トラック２８４の中でスライドピン２８２が移動する。フォロア２８０は、矢印２８８方向に付勢され、その結果、スライドピン２８２が休止領域に向かってトラック２８４に沿って移動すると、フォロア２８０は、矢印２８８方向へわずかに移動するが、飲み物の通路２１８は可撓性素材２５４及びフォロア２８０によって閉じられたままである。開閉機構２１４を開くために、操作者は矢印２８６方向にボタン２５０を再び押し、その結果、スライドピン２８２が休止領域から離れるように移動し、ばね２９２及び２９４の付勢力がボタン２５０とフォロア２８０を矢印２８８方向に偏らせることができ、それ故、飲み物の通路２１８が開く。
【００４６】
可撓性素材２５４は可動部３０６、並びに芯２５２及びカバー２１２に対して可動ではない固定部３０８を具える。図示された実施例では、可動部３０６は可撓性素材２５４の中に形成される複数のひだ３１０によって画定される。ひだ３１０は湾曲している。ひだ３１０は可撓性素材２５４がフォロア２８０を囲む可撓性素材２５４の中に形成され、可動部３０６は、そこに位置する。
【００４７】
閉位置では、可撓性素材２５４からなる可動封止端３１２が可撓性素材２５４からなる固定封止端３１６になり得る固定封止面３１４と接する。固定封止面３１４はまた、側壁２２０の内側面にもなり得る。可撓性素材２５４からなる固定封止端３１６はボタン開口部２２２の正反対にある。閉位置では、カップからの液体は、飲み物の通路２１８を通って進むことができない。
【００４８】
開位置では、フォロア２８０を囲む可撓性素材２５４は、可動封止端３１２を画定する可撓性素材２５４の一部を具え、可撓性素材２５４からなる固定封止端３１６において筒状周側壁３１８を囲む可撓性素材２５４から離間される。このように、飲み物の通路２１８は可撓性素材２５４からなる可動封止端３１２と固定封止端３１６の間に形成される。図示された実施例の可撓性素材２５４は、全て相互に接続された可動部３０６、固定部３０８、ひだ３１０、可動封止端３１２、及び固定封止端３１６を具える一体形成品（例えば、一体ユニット）である。
【００４９】
図８及び９には上述したトラベルマグの蓋１０及び２１０に類似する別のトラベルマグの蓋４１０が示される。カップ（示されていない。）にはトラベルマグの蓋４１０が嵌合され、カップの上側開口部が覆われ、カップに保持された液体がこぼれず、カップの中の液体の温度が保たれる。トラベルマグの蓋４１０と上述されたトラベルマグの蓋１０及び２１０との違いについては詳細に説明する。これらの蓋は構造上似ているので、説明を簡潔にするため、類似点について詳細な説明はしない。
【００５０】
トラベルマグの蓋４１０は、カバー４１２と呼ばれる第１蓋部材、及び開閉機構４１４を具える。カバー４１２は、上述したカバー２１２と類似し、カップを出る液体が通る飲み物の通路４１８を少なくとも部分的に画定する開口部４１６を有する。カバー４１２は、側壁４２０を具え、中心軸４３０を定める。トラベルマグの蓋４１０は、側壁４２０にボタン開口部４２２を具える。開閉機構４１４は、機構の可動部品を隔離し、その結果、これらの可動部材が直接液体に晒されることはない。
【００５１】
開閉機構４１４は、ボタン４５０、硬質芯４５２、可撓性素材４５４、並びに図８及び９にのみ模式的に示されたクリック・クリック（カムフォロア）機構４５６を具える。ボタン４５０は、蓋４１０の中心軸４３０に対して全体として直角な方向に移動する。芯４５２は、開閉機構４１４の可動部品の多くがその中に設けられる空間４５８を具える。可撓性素材４５４は、少なくとも芯４５２の外側の大部分を囲む。図８及び９に示された実施例では、可撓性素材４５４は、芯４５２を取り囲むが、ボタン４５０は取り囲まない。可撓性素材４５４は、シリコーンでもよい。
【００５２】
開閉機構４１４は、図９に開位置が、図８に閉位置が示されている。飲み物の通路４１８を閉じるため、操作者は、カップの内側に向かって、且つ飲み物の通路４１８に向かってボタン４５０を内側に押す。ボタン４５０の末端部４６６は、ボタン開口部４２２を貫通して延びており、操作者によるアクセスが可能である。
【００５３】
クリック・クリック機構４５６は、留め具４８２によってボタン４５０と接続されたフォロア４８０を具える。留め具４８２と伴にボタン４５０を動かす、及びボタン４５０と伴に留め具４８２を動かすために、フォロア４８０とボタン４５０を接続する他の方法が採用されてもよい。クリック・クリック機構４５６は、上述したクリック・クリック機構２５６と同様に作用し得る。矢印４８６方向にボタン４５０が動くと、フォロア４８０が同じ方向に動く。フォロア４８０は、矢印４８８方向に付勢され、その結果、フォロア４８０が（図８に示される）閉位置に留まらない場合、フォロア４８０は、（図９に示される）開位置に向かって付勢される。
【００５４】
ボタン４５０は、この実施例では可撓性素材４５４によって囲まれていない。ボタン４５０は、留め具４８２によってフォロア４８０と接続されており、留め具４８２は可撓性素材４５４の中にある開口部４９２を貫通して延びている。しかしながら、可撓性素材４５４は、芯４５２によって画定される空間４５８の中への水の浸入を防ぐため留め具４８２を封止する。可撓性素材４５４は、可動部（二つの可動部５０６及び５１０が示されている。）、並びに芯４５２及びカバー４１２に対して可動ではない固定部５０８を具える。図示された実施例では、飲み物の通路４１８に隣接して設けられた前方可動部５０６及びボタン４５０に隣接して設けられた後方可動部５１０がある。ボタン４５０及びフォロア４８０の基端５１２は後方可動部５１０と接している。フォロア４８０の末端５１４は前方可動部５０６と接している。可動部５０６及び５１０によって、ボタン４５０及びフォロア４８０の移動が可能となり、その結果、開閉機構４１４は、開位置と閉位置の間を動くことができる。
【００５５】
閉位置では、可撓性素材４５４の可動封止端５２２は、可撓性素材２５４からなる固定封止端５２６になり得る固定封止面５２４と接触する。固定封止面５２４はまた、側壁４２０の内側面、即ち、下記に示す差込み５３０の内側面にもなり得る。可撓性素材４５４からなる固定封止端５２６は、ボタン開口部４２２とは正反対にある。閉位置では、カップからの液体は、飲み物の通路４１８を通って進むことができない。
【００５６】
開位置では、フォロア４８０の末端５１４を囲む可撓性素材４５４は、可動封止端５２２を画定する可撓性素材４５４の一部を具え、飲み物の通路４１８に隣接する差込み５３０の内側面５３２と接触する可撓性素材４５４から離間している。このように、飲み物の通路４１８は可撓性素材４５４からなる可動封止端５２２と固定封止端５２６の間に形成される。差込み５３０はカバー４１２に開閉機構４１４を固定するために、カバー４１２と接続する。差込み５３０はまた、カバー４１２の開口部４１６と位置合わせした開口部５３４を具え、飲み物の通路４１８を少なくとも部分的に画定する。
【００５７】
図１０乃至１３には、上述したトラベルマグの蓋１０、２１０及び４１０と類似する別のトラベルマグの蓋６１０が示される。カップ（示されていない。）にはトラベルマグの蓋６１０が嵌合され、カップの上側開口部が覆われ、カップに保持された液体がこぼれず、カップの中の液体の温度が保たれる。トラベルマグの蓋６１０は、カバー６１２と呼ばれる第１蓋部材、及び開閉機構６１４を具える。カバー６１２は、カップを出る液体が通る飲み物の通路６１８を少なくとも部分的に画定する開口部６１６を具える。カバー６１２は、側壁６２０を具え、中心軸６３０を定める。トラベルマグの蓋６１０は、側壁６２０にボタン開口部６２２を具える。開閉機構６１４は、機構の可動部品を隔離し、その結果、これらの可動部品が直接液体に晒されることはない。
【００５８】
開閉機構６１４は、この実施例ではトグルスイッチであるボタン６５０、硬質芯６５２、可撓性素材６５４及びフォロア機構６５６を具える。ボタン６５０は、蓋６１０の中心軸６３０に対して全体として直角な方向に移動し、また、ボタン６５０は、ピン６６０の周りを回転する。芯６５２は、開閉機構６１４の可動部の多くが設けられる空間６５８を具える。図１０乃至１３で示された実施例では、可撓性素材６５４は、芯６５４を囲むが、ボタン６５０は囲まない。可撓性素材６５４は、シリコーンでもよい。
【００５９】
開位置の開閉機構６１４が図１１及び１３に示される。閉位置の開閉機構６１４は、図１０及び１２に示される。飲み物の通路６１８を閉じるために、操作者はボタン６５０の第１部分６５０ａをカップの内部に向かって、且つ、飲み物の通路６１８に向かって内側に押す。開閉機構６１４が開位置にあるとき、このボタン６５０の第１部分６５０ａは、ボタン開口部６２２を貫通して延びており、操作者よるアクセスが可能である。飲み物の通路６１８を開くために、操作者は、ボタン６５０の第２部分６５０ｂをカップの内部に向かって、且つ、飲み物の通路６１８に向かって内側に押す。開閉機構６１４が閉位置にあるとき、このボタン６５０の第２部分６５０ｂは、ボタン開口部６２２を貫通して延びており、操作者によるアクセスが可能である。
【００６０】
フォロア機構６５６は、ボタン６５０と連動可能に接続されたフォロア６８０を具え、ボタン６５０の第１部分６５０ａが動くことによって、フォロア６８０も同じ方向に移動する。フォロア６８０は、矢印６８８方向に付勢されることが可能で、その結果、フォロア６８０即ちボタン６５０が（図１０及び１２に示される）閉位置に留まらない場合、フォロア６８０は（図１１及び１３に示される）開位置に向かって付勢される。ボタン６５０、及び／又は、フォロア６８０は、（例えば）芯６５２又はカバー６１２上に戻り止めと協働することができる止め金を具えてもよく、付勢力に対して、ボタン６５０、及び／又は、フォロア６８０の位置を留める。ボタン６５０の第１部分６５０ａ又は第２部分６５０ｂのいずれかの部分に操作者が力を加えることにより、止め金／戻り止め機構がはずれ、ボタン及びフォロア６８０の移動が可能となる。
【００６１】
本実施例では、ボタン６５０は可撓性素材６５４によって囲まれていない。ボタン６５０は、フォロア６８０と接している可撓性素材６５４と接する。可撓性素材６５４は、可動部（２つの可動部７０６及び７１０が示される。）及び固定部７０８を具える。図示された実施例では、飲み物の通路６１８に隣接して設けられた前方可動部７０６及びボタン６５０に隣接して設けられた後方可動部７１０がある。ボタン６５０及びフォロア６８０の基端７１２は、後方可動部７１０と接触し、可撓性素材６５４が、基端７１２とボタン６５０の間で挟まれている。フォロア６８０の末端７１４は、前方可動部７０６と接している。可動部材７０６及び７１０によって、ボタン６５０及びフォロア６８０が動き、その結果、開閉機構６１４は、開位置と閉位置の間を動くことができる。
【００６２】
閉位置において、可撓性素材６５４からなる可動封止端７２２は、可撓性素材６５４で作られた固定封止端７２６になり得る固定封止面７２４と接する。固定封止面７２４は、側壁６２０の内側面、即ち、以下に示される差込み７３０でもある。可撓性素材６５４かならなる固定封止端７２６は、ボタン開口部６２２の正反対にある。閉位置では、カップからの液体は、飲み物の通路６１８を通って進むことを妨げられる。
【００６３】
開位置では、フォロア６８０の末端７１４を囲い、可動封止端７２２を画定する可撓性素材６５４の一部を具える可撓性素材６５４は、飲み物の通路６１８に隣接する差込み７３０の内側面７３２と接する可撓性素材６５４から離間している。このように、飲み物の通路６１８は、可撓性素材６５４からなる可動封止端７２２と固定封止端７２６の間で形成される。差込み７３０は、カバー６１２と接続され、カバー６１２と開閉機構６１４を固定する。差込み７３０はまた、カバー６１２の開口部６１６と位置合わせした開口部７３４を具え、飲み物の通路６１８を少なくとも部分的に画定する。
【００６４】
図１４乃至１７には、上述したトラベルマグの蓋１０、２１０、４１０及び６１０と類似する別のトラベルマグの蓋８１０が示される。カップ（示されていない。）にはトラベルマグの蓋８１０が嵌合され、カップの上側開口部が覆われ、カップに保持された液体がこぼれず、カップの中の液体の温度が保たれる。トラベルマグの蓋８１０は、カバー８１２と呼ばれる第１蓋部材、及び開閉機構８１４を具える。カバー８１２は、カップを出る液体が通る飲み物の通路８１８を少なくとも部分的に画定する開口部８１６を具える。カバー８１２は、側壁８２０を具え、中心軸８３０を定める。カバー８１２は、先の実施例とは異なり、側壁８２０には位置しないボタン開口部８２２を具える。開閉機構８１４は、可撓性素材８５４（シリコーンでもよい。）によって、機構の可動部品を隔離し、その結果、これらの可動部品が直接液体に晒されることはない。
【００６５】
開閉機構８１４は、ボタン８５０、上述した差込み５３０及び７３０に類似し得る硬質芯８５２、可撓性素材８５４及びフォロア機構８５６を具える。図１４乃至１７に示された実施例では、ボタン８５０は、蓋８１０の中心軸８３０に対して全体として平行な方向に動く。芯８５２及びカバー８１２は、開閉機構８１４の多くの可動部品が設けられる空間８５８を画定する。図１４乃至１７に示された実施例では、可撓性素材８５４は、円筒状であり、芯８５２を囲む。図示された実施例では、可撓性素材８５４は、カバー８１２の下面及び芯８５２の上面に取付けられる。別の構成では、可撓性素材８５４は、開閉機構８１４を囲んでもよいが、ボタン８５０を受入れる開口部は囲まない。
【００６６】
開位置の開閉機構８１４が、図１５及び１７に示される。閉位置の開閉機構８１４は、図１４及び１６に示される。飲み物の通路８１８を開閉するために、操作者はボタン８５０の末端部分８６６を（図面方向で）下方向、即ち、カップの内部に向かって内側に押す。末端部分８６６は、ボタン開口部８２２を貫通して延び、即ち、ボタン開口部８２２の内部を通っており、その結果、蓋８１０がカップに係合しているとき、末端部分８６６は、カバー８１２の外側から触れることができる。
【００６７】
フォロア機構８５６は、ボタン８５０と連動可能に接続された飲み物の通路フォロア８８０を具え、ボタン８５０が動くと、飲み物の通路フォロア８８０も動く。飲み物の通路フォロア８８０は、角度付き面８８２を具え、ボタン８５０は、協働角度付き面８８４を具える。図に詳細は示されていないが、ボタン８５０は、ボールペン、即ち、図１７に示されるロックアップ位置と図１６に示されるロックダウン位置の間のカムフォロア機構のように作動してもよい。図１７に示されるアップ位置からボタン８５０が移動すると、飲み物の通路フォロア８８０は（図１７の方向で）左に移動する。開閉機構８１４が閉位置（図１６）にあるとき、飲み物の通路フォロア８８０において、ボタン８５０の図１６において垂直な受け表面８８６は、同様に垂直な受け面８８８と係合する。
【００６８】
図１４乃至１７のフォロア機構８５６はまた、通気フォロア８９２を具える。通気フォロア８９２は、蓋８１０を介して形成された通気口８９４を開閉するために動く。通気フォロア８９２は、角度付き面８９６を具え、ボタン８５０は、協働角度付き面８９８を具える。図１７に示されるアップ位置からボタン８５０が移動すると、通気フォロア８９２は（図１７の方向で）右に移動する。開閉機構８１４が閉位置（図１６）にあるとき、通気フォロア８９２において、ボタン８５０の図１６において垂直な受け表面９０２は、同様に垂直な受け面９０４と係合する。
【００６９】
可撓性素材８５４は、飲み物の通路フォロア８８０及び通気フォロア８９２と接する。可撓性素材８５４は、カップの中の液体からフォロア８８０及び８９２を隔離するシールとして作用する一方で、飲み物の通路８１８及び通気口８９４の閉弁として作用する可動部９０６を具える。図示された実施例では、飲み物の通路８１８に隣接して設けられた前方可動部９０６、及び通気口８９４に隣接して設けられた後方可動部９１０を具える。
【００７０】
閉位置では、可撓性素材８５４からなる可動封止端９２２が、固定封止面９２４と接し、固定封止面９２４は、飲み物の通路８１８を塞ぐため、可撓性素材８５４からなる固定封止端９２６になり得る。固定封止面９２４は、側壁８２０の内側面、即ち、芯８５２の内側面にもなり得る。通気口８９４の開閉も非常に類似しており、それ故、詳細には述べない。飲み物の通路８１８における可撓性素材８５４からなる固定封止端９２６は、通気口８９４の正反対にある。閉位置では、カップからの液体は、飲み物の通路８１８及び通気口８９４を通って進むことができない。
【００７１】
トラベルマグの蓋について詳細に述べてきた。それぞれのトラベルマグの蓋は、シリコーンでもよい可撓性素材を具え、可撓性素材は、より硬質な部材に対して撓ませ、即ち動かすことができ、蓋に取付けられたカップの中の液体から可動部を封止するための閉弁及びシールとして作用する。前述の詳細な記述を読み理解すれば、改良及び変更が生じるであろう。更に、１つの実施例の態様は、他の実施例でも採用され得る。本発明は、上述された実施例にのみ限られない。そうではなく、本発明の範囲は、添付の請求項及びその均等物によって定められる。
【図１】
2016508102.tif 000003
【図２】
2016508102.tif 000004
【図３】
2016508102.tif 000005
【図４】
2016508102.tif 000006
【図５】
2016508102.tif 000007
【図６】
2016508102.tif 000008
【図７】
2016508102.tif 000009
【図８】
2016508102.tif 000010
【図９】
2016508102.tif 000011
【図１０】
2016508102.tif 000012
【図１１】
2016508102.tif 000013
【図１２】
2016508102.tif 000014
【図１３】
2016508102.tif 000015
【図１４】
2016508102.tif 000016
【図１５】
2016508102.tif 000017
【図１６】
2016508102.tif 000018
【図１７】
2016508102.tif 000019
【国際調査報告】
2016508102.tif 000020
2016508102.tif 000021